(57)【要約】【課題】ワ−クを積載する収納部を備えた収納台を展開状態からスムーズに折畳んで移動でき、折畳み時のロックと展開時に隣接する収納台との接続も行える折畳み自在な収納台を提供する。【解決手段】収納部１、２は左右一対で構成され、左右の収納部１、２の各内端に摺動部品を有した挟持継手１２、２２が中央の連結部３に対し回動自在に接続される。下端に車輪５を備えた車輪５付きパイプ４が、左右の収納部１、２の展開状態で車輪５が床９に接地せず、収納部１、２の折畳み状態で車輪５が床９に接地する配置で、左右の各収納部１、２の下面１１、２１に取付けられている。連結部に対し左右の収納部１、２が、展開時にはワークＳを積載する一平面をなし、折畳み時には前記車輪５を介して移動できる。【選択図】図３
2019156601.tif 000002
【特許請求の範囲】
【請求項１】
上面にワークを積載する収納部を備えた収納台において、
前記収納部は、左右一対で構成され、当該左右の収納部の各内端が中央の連結部に対し回動自在に接続され、
下端に車輪を備えた車輪付きパイプが、左右の収納部の展開状態で当該車輪が床に接地せず、左右の収納部の折畳み状態で当該車輪が床に接地する配置で、前記左右の各収納部の下面に取付けられており、
前記連結部に対し前記左右の収納部を展開してワークを積載する一平面をなし、前記車輪付きパイプの車輪を介して、折畳み時には移動可能に構成されていることを特徴とする、折畳み自在な収納台。
【請求項２】
前記連結部は、横パイプと奥行きパイプで構成された平面視が四角形のベース部と、同ベース部から下方に突き出た脚部とで成り、
前記脚部の高さは、左右の収納部の展開状態で前記車輪付きパイプの車輪が床に接地せず、左右の収納部の折畳み状態で当該車輪が床に接地する長さに設定され、
前記横パイプの内寸は、左右の収納部の展開状態で車輪が内方に収納可能な長さに設定されていることを特徴とする、請求項１に記載した折畳み自在な収納台。
【請求項３】
前記左右の収納部の各外端には、ガイドパイプと同ガイドパイプを奥行き方向に渡す垂直なガイド固定パイプが配設され、
前記ガイド固定パイプは、その中間部が前記収納部に接続され、左右の収納部の上面から突き出る各長さの合計が、前記連結部の横パイプの内寸以下に設定されていると共に、当該ガイド固定パイプにおける収納部の上面から床までの長さは、前記連結部の脚部の長さと略同じに設定されており、
前記左右の収納部の展開状態で、前記ガイド固定パイプが接地して当該収納部が一平面を維持し、
左右の収納部の折畳み状態で、向い合う各前記ガイド固定パイプが干渉を起こさずに当該収納部が垂直姿勢を維持することを特徴とする、請求項１又は２に記載した折畳み自在な収納台。
【請求項４】
前記左右の収納部の各外端にロック装置が設けられており、当該収納部の折畳み状態で、向い合う左右の収納部が前記ロック装置によりロックされ、垂直姿勢が固定されることを特徴とする、請求項１〜３のいずれか１項に記載した折畳み可能な収納台。
【請求項５】
前記ロック装置は、左右の各収納部において、ガイド固定パイプから突き出る旋回軸と、同旋回軸に対し旋回自在に取り付けられたロック片と、同ロック片から突き出る引っ掛けピンを備え、前記ロック片には嵌合孔が穿設されていると共に、ガイドパイプに切欠き凹部が設けられて成り、
前記収納部の折畳み状態で、一方の収納部の前記引っ掛けピンが、他方の収納部の前記切欠き凹部に引っ掛かってロック自在であり、
収納部の展開状態で、前記ロック片の嵌合孔が、隣接する展開状態の収納部の突出部に嵌合して連結自在に構成されていることを特徴とする、請求項４に記載した折畳み自在な収納台。
【発明の詳細な説明】
【技術分野】
【０００１】
本発明は、ワーク（機械装置の部品や半製品など）を載せて移動させる折畳み自在な収納台の技術分野に属し、さらに言えば、当該収納台を複数並べてワークの搬送ラインを形成する際に使用される一つ単位の折畳み自在な収納台であって、ラインの不要時には、折畳み動作で車輪が床に着きその車輪により簡単に移動させられてラインスペースを空けられ、スペースを有効活用できる折畳み可能な収納台と、当該収納台に設けられるロック装置に関する。
【背景技術】
【０００２】
工場等の現場では、作業毎にそれぞれの工程に合わせたラインが必要であり、通常はそれ程広くない場所で、工程毎にラインを組み直したりして有効活用している。
また、主に物流倉庫等において、一日の中で同じ作業エリアにて別の作業、別の動線を作る必要がある場合が多い。こういった現場においては、固定の設備を設置することができず、収納ができて、かつ片付け易いという機能が物流什器に求められる。 そんな什器の中でも、台車やパレットのようなものは動かし易いが、大きなシューター等はハンドリングが悪く片付けも大変である。その上、元々のサイズが大きいと別の現場に収納してもスペースを取るため、工夫しないと導入が困難であった。
かかる状況下で現在は、台車、フォーク、ハンドパレットトラック等で行われているが、自由動線であることも多く、労災などの危険をはらんでいた。
そんな訳で、そういった作業エリアの変更が多くて、かつシューターを設置すべき現場（分野）全般において、使い勝手のよい折畳み自在な収納台が必要とされている。
【０００３】
これに関連し、例えば下記特許文献１には、パレットラックの折り畳み作動時と開き作動時には、サブビームの折り畳みと開き作動に連動して梁部材と共に支柱の間隔を狭めたり広げたりして開閉作動させ、支柱は倒れ防止部材の車輪によって拡縮移動を行うパレットラックが記載されている。
【先行技術文献】
【特許文献】
【０００４】
【特許文献１】特許第４９４１５８２号公報
【発明の概要】
【発明が解決しようとする課題】
【０００５】
上記特許文献１に開示されたパレットラックは、折畳んで車輪を出して移動できる技術である。しかし、当該車輪を突き出すには、ベース部材の自由端を作業者が足等で押し、ベース部材を回動させ、支柱を若干床面から浮かせて、第一及び第二の車輪を着地させるといったワンアクションが必要である（同特許文献１の段落番号［００３４］等参照）。そのように折畳み動作に合わせて自動的に車輪が床に着く構成ではないため、使い勝手がわるく、人力で車輪を出してからでないと迅速に移動できないといった問題がある。
【０００６】
したがって、本発明の目的は、上記の課題を鑑みてなされたもので、ワークを積載する収納部を備えたパイプ構造物で成る収納台を展開状態からスムーズに折畳んで移動できる折畳み自在な収納台を提供することである。
本発明の次の目的は、折畳み時のロックを簡便に行える上、展開時に隣り合う収納台との接続も行えて便利な折畳み自在な収納台を提供することである。
【課題を解決するための手段】
【０００７】
上述の課題を解決するための手段として、請求項１に記載した発明に係る折畳み自在な収納台は、
上面１０、２０にワークＳを積載する収納部１、２を備えた収納台において、
前記収納部１、２は、左右一対で構成され、当該左右の収納部１、２の各内端が中央の連結部３に対し回動自在に接続され、
下端に車輪５を備えた車輪５付きパイプ４が、左右の収納部１、２の展開状態で当該車輪５が床９に接地せず、左右の収納部１、２の折畳み状態で当該車輪５が床９に接地する配置で、前記左右の各収納部１、２の下面１１、２１に取付けられており、
前記連結部３に対し左右の収納部１、２を展開してワークＳを積載する一平面をなし、前記車輪５付きパイプ４の車輪５を介して、折畳み時には移動可能に構成されていることを特徴とする。
【０００８】
請求項２に記載した発明は、請求項１に記載した折畳み自在な収納台において、前記連結部３は、横パイプ３０と奥行きパイプ３１で構成された平面視が四角形のベース部３２と同ベース部３２から下方に突き出た脚部３３とで成り、
前記脚部３３の高さＨは、左右の収納部１、２の展開状態で前記車輪５付きパイプ４の車輪５が床９に接地せず、左右の収納部１、２の折畳み状態で当該車輪５が床９に接地する長さに設定され、
前記横パイプ３０の内寸Ｗは、左右の収納部１、２の展開状態で水平方向に一直線状で並ぶ車輪５が内方に収納可能な長さに設定されていることを特徴とする。
【０００９】
請求項３に記載した発明は、請求項１又は２に記載した折畳み自在な収納台において、
前記左右の収納部１、２の各外端には、ガイドパイプ６と、同ガイドパイプ６を奥行き方向に渡す垂直なガイド固定パイプ７が配設され、
前記ガイド固定パイプ７は、その中間部が前記収納部１、２接続され、収納部１、２の上面１０、２０から突き出る各長さＷ２とＷ３との合計が、前記連結部３の横パイプ３０の内寸以下に設定されていると共に、当該ガイド固定パイプ７における収納部１、２の上面１０、２０から床９までの長さＨは、前記連結部３の脚部３３の長さと略同じに設定されており、
前記左右の収納部１、２の展開状態で、前記ガイド固定パイプ７が接地して当該収納部１、２が一平面を維持し、
左右の収納部１、２の折畳み状態で、向い合う各前記ガイド固定パイプ７、７が干渉を起こさずに当該収納部１、２が垂直姿勢を維持することを特徴とする。
【００１０】
請求項４に記載した発明は、請求項１〜３のいずれか１項に記載した折畳み可能な収納台において、
前記左右の収納部１、２の各外端にロック装置８が設けられており、当該収納部１、２の折畳み状態で、向い合う左右の収納部１、２が前記ロック装置８によりロックされ、垂直姿勢が固定されることを特徴とする。
【００１１】
請求項５に記載した発明は、請求項４に記載した折畳み可能な収納台において、前記ロック装置８が、左右の各収納部１、２において、ガイド固定パイプ７から突き出る旋回軸８０と、同旋回軸８０に対し旋回自在に取り付けられたロック片８１と、同ロック片８１から突き出る引っ掛けピン８３を備え、前記ロック片８１には嵌合孔８２が穿設されていると共に、ガイドパイプ６に切欠き凹部６０が設けられて成り、
前記収納部１、２の折畳み状態で、一方の収納部１（２）の前記引っ掛けピン８３が、他方の収納部２（１）の前記切欠き凹部６０に引っ掛かってロック自在であり、
収納部１、２の展開状態で、前記ロック片８１の嵌合孔８２が、隣接する展開状態の収納部１、２の突出部８９に嵌合して連結自在に構成されていることを特徴とする。
【発明の効果】
【００１２】
本発明に係る折畳み可能な収納台によれば、左右の収納部を折畳む回動に合わせて、収納部に取付けた車輪が自動的に床に着くため、車輪を出す動作が必要でなく、当該収納台を片付ける作業効率が良い。  また、収納部を開いた際、車輪が自動的に床から浮くと脚部が床に接地し、収納台は動かなくなるが、折畳むと床に車輪が着くので、今度は収納台の移動が簡単に可能になる。
さらに、一つのロック装置によって、収納部の折畳み時には開かないようにロックする機能と同時に隣接する収納台同士を連結する機能も有し、利便性にも優れている。
【図面の簡単な説明】
【００１３】
【図１】本発明の折畳み可能な収納台の展開した使用状態の全体斜視図である。
【図２】収納台を折畳んだ状態を示した斜視図である。
【図３】Ａ、Ｂ、Ｃは、左右の収納部の展開状態、折畳み過程状態、折畳み状態を各々示した正面図である。
【図４】収納台の折畳み時のロック状態を示した斜視図である。
【図５】Ａ、Ｂは、ロック要領を示した部分拡大図である。
【図６】隣り合う収納台との連結状態を示した斜視図である。
【図７】Ａ、Ｂ、Ｃは、図６の連結時のロック要領を示した部分拡大図である。
【発明を実施するための形態】
【００１４】
以下に、本発明に係る折畳み可能な収納台の実施形態を、図面にしたがって説明する。
本実施形態の折畳み可能な収納台は、上面にワークを積載する収納台であって、図１に示したように展開して一面を形成する左右の収納部１、２と中央の連結部３とを備え、左右の収納部１、２及び連結部３に設けられたコロＴ上にワークＳを載せ移動させるものである。一方、この収納台を片付けるには、図２に示したように、前記展開状態の左右の収納部１、２を折り畳んで、後述する車輪５により押して簡単に移動することができる。
【００１５】
図１に示したように、左右対称の一対の左側収納部１と右側収納部２は、それぞれ鋼管の外周面に合成樹脂を接着被覆して成る横パイプ１４、２４と、奥行きパイプ１５、２５とを挟持継手により連結した平坦な矩形の枠に形成されている。そして、その中間補強として横パイプ１４ａ、２４ａが枠内に渡され、そのパイプの外端は、垂直な脚部１４ａ、２４ａに形成されている。
また、前記枠の上面１０、２０には、奥行き方向にレール部材１６、２６が設置され、そのレール部材１６、２６にコロＴが設けられており、ワークＳの移動が容易になっている。なお、前記横パイプ１４、２４の、当該左右の収納部１、２の各横パイプ１４、２４の内端に、内部に摺動部品を有した挟持継手１２、２２が、後述する中央位置の連結部３の奥行きパイプ３１へ回動自在に接続されている（図１、図３参照）。また、各横パイプ１４、２４の外端には、ガイド固定パイプ７が挟持継手１３、２３で垂直方向に固定されている。
そして、前記左右の各収納部１、２の下面１１、２１の横パイプ１４、２４の近傍で、横パイプ１４、２４より少なくとも略パイプ一本分下がった位置に、一直線上で水平方向に（図１、図３参照）左右で並んで内方に車輪５が、互いに向き合うように車輪付きパイプ４が取付けられている。
【００１６】
連結部３は、ベース部３２と脚部３３とより成る。ベース部３２は、横パイプ３０と奥行きパイプ３１で平面視が四角形に形成され、脚部３３は、前記ベース部３２から下方に突き出て構成されている（図１、図３参照）。このベース部３２の上面にも、前記収納部１、２と同様に、奥行き方向にレール部材３４が設置され、そのレール部材３４にコロＴが設けられており、ワークＳの移動を容易ならしめている。
前記脚部３３の高さＨは、図３に図示したように、左右の収納部１、２の展開状態で前記車輪５付きパイプ４の各車輪５が床９に接地せず（図３Ａ参照）、かつ図３Ｃのように左右の収納部１、２の折畳み状態で当該車輪５・・・が床９に接地する長さ（実施例ではＨ＝１３０．５ｍｍ）に設定されている。このとき、床９から浮いた状態の脚部３３までは、８ｍｍの隙間があくように設計されている。
また、この連結部３の横パイプ３０の内寸Ｗは、図３Ａに示したように、左右の収納部１、２の展開状態で左右の車輪５が一直線上にお互いに並んだ状態で内方に収納可能な長さ（１９１．５ｍｍ）に設定されている。
【００１７】
次に、ガイドパイプ６とガイド固定パイプ７について説明する。
展開してワークＳを収納するときにスムーズに流れるようにガイドをするため、上述した左右の収納部１、２の各外端に、奥行き方向に渡されたガイドパイプ６、６がそれぞれ配設されている。ガイドパイプ６の全長は、連結部３の奥行きパイプ３１、３１と略同じである。そのガイドパイプ６を奥行き方向に結ぶ垂直なガイド固定パイプ７が、左右の収納部１、２の外端の各挟持継手１３、２３でそれぞれ接続され、そのガイド固定パイプ７に当該ガイドパイプ６が固定されている（図１参照）。すなわち、当該ガイド固定パイプ７は、収納部１、２の展開状態で各コーナー部（四隅）に位置されている。
詳しくは、図３に示したように、当該ガイド固定パイプ７は、その中間部が前記収納部１、２に接続されている（図３Ａ参照）。当該ガイド固定パイプ７が、収納部１の上面１０から突き出る長さＷ２（８７．５ｍｍ）と収納部２の上面２０から突き出る長さＷ３（１０３．５ｍｍ）との合計が、図３Ｃに図示したように、前記連結部３の横パイプ３０の内寸Ｗ（１９１．５ｍｍ）以下に設定される。加えて、当該ガイド固定パイプ７における収納部１、２の上面１０、２０から床９までの長さＨ（１３０．５ｍｍ）は、前記連結部３の脚部３３の長さと同じに設定されている（図３Ａ参照）。
【００１８】
したがって、図３Ａの左右の収納部１、２が展開した状態で、ガイド固定パイプ７が床９に接地して当該収納部１、２が一平面で水平を維持することができる。その展開時の収納台の幅寸は、１４１４．５ｍｍである。一方、折畳むときは、左右の収納部１、２を持ち上げて内方に回動させれば、車輪５が床９に接地してスムーズに折畳み作業を行え（図３Ｂ参照）、図３Ｃの左右の収納部１、２が完全に折畳まれた状態で、向い合う各前記ガイド固定パイプ７、７の内方に突き出る長さの合計が、連結部３の横パイプ３０の内寸以下なので左右が干渉を起こさず、当該収納部１、２は垂直姿勢を維持しつつ難なく移動できる。なお、その折畳み時の収納台の上部の幅寸（Ｈ＋Ｗ２＋Ｗ３＋Ｈ）は、４５２ｍｍである。
【００１９】
次に、本収納台に設けられるロック装置８について説明する。このロック装置８は、第１に、収納部の折畳み時に開かないようにロックする機能と、第２に、展開時に隣接する収納台同士を連結する機能の２機能を併有するものである。
左右の収納部１、２の各外端の互い違いのガイド固定パイプ７、７上に、ロック装置８がそれぞれ設けられている（図１参照）。
拡大した図５に示したように、本ロック装置８は、旋回軸８０とロック片８１と引っ掛けピン８３を主要な構成要素とする。すなわち、右の収納部２の外端に位置するガイド固定パイプ７の上端から突き出る旋回軸８０と、同旋回軸８０に対しルーズ状態で旋回自在に取り付けられた水平なロック片８１と、同ロック片８１から垂直に突き出る引っ掛けピン８３を備えた構成である。また、前記ロック片８１には嵌合孔８２が穿設され、前記引っ掛けピン８３には止めリング８４が付設されている。一方、前記旋回軸８０に対向する左の収納部１のガイド固定パイプ７上に、固定ボルト（突出部）８９が設けられている。
また、前記引っ掛けピン８３が引っ掛かかるようにＵ字状に切り欠かれた切欠き凹部６０が、ガイドパイプ６の両端近傍に設けられ、前記止めリング８４の外径は、切欠き凹部６０の内径より若干大きく形成されている。
【００２０】
前記ロック片８１は、旋回軸８０に対しルーズ状態で旋回自在に取り付けられているため、展開状態の収納台の連結をスムーズに行える。つまり、図７Ａ〜Ｃに示したように、ルーズ状態の前記ロック片８１を旋回し、隣り合うガイドパイプ６上で突き出た固定ボルト（突出部）８９へ前記ロック片８１の嵌合孔８２を落とし込むだけで固定でき、展開状態で隣り合う収納台を簡単に連結できる（図６参照）。
また、この収納台を移動する際には、収納部１、２を折畳んだ後、一方の収納部１（２）の前記引っ掛けピン８３を、向い合う他方の収納部２（１）の前記切欠き凹部６０に引っ掛けるだけで、当該引っ掛けピン８３の止めリング８４の外側面が、ガイドパイプ６の切欠き凹部６０に、しっかり密着して容易に固定することができる（図４、図５）。
【００２１】
また、ロック装置として、図示は省略したが、ガイド固定パイプ７、７の内方に突き出る先端に磁石を設けて磁力でロックして、折畳み時に不用意に開き難くし、展開時にはガイド固定パイプ７、７の外周に貼られた磁石の磁力で、隣接する収納台同士を動き難くする等も可能である。
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００２２】
１、２      収納部
１０、２０  上面
１１、２１  下面
１２、２２  摺動部品を有した挟持継手
１３、２３  挟持継手
１４、２４  横パイプ
１５、２５  奥行きパイプ
１６、２６  レール部材
Ｓ          ワーク
Ｔ          コロ
３          連結部
３０        横パイプ
３１        奥行きパイプ
３２        ベース部
３３        脚部
Ｈ          長さ（高さ）
４          車輪付きパイプ
５          車輪
６          ガイドパイプ
６０        切欠き凹部
７          ガイド固定パイプ
Ｗ          内寸
Ｗ２、Ｗ３  長さ
８          ロック装置
８０        旋回軸
８１        ロック片
８２        嵌合孔
８３        引っ掛けピン
８４        止めリング
８９        固定ボルト（突出部）
９          床
【図１】
2019156601.tif 000003
【図２】
2019156601.tif 000004
【図３】
2019156601.tif 000005
【図４】
2019156601.tif 000006
【図５】
2019156601.tif 000007
【図６】
2019156601.tif 000008
【図７】
2019156601.tif 000009